(57)【要約】【課題】３路配線が可能で２箇所で人体検知可能として１つの照明負荷を自動点灯させる２線式人体検知センサー付き自動スイッチを提供することである。【解決手段】人体検知センサーPEDと、交流電源ACから負荷Lに電力を供給するスイッチ素子TRACと、前記人体検知センサーPEDの出力に応じて前記スイッチ素子TRACをオンオフさせる制御部（15，19）と、前記スイッチ素子TRACのオフ時は、前記負荷Lの漏れ電流に基づき、前記スイッチ素子TRACのオン時は、前記スイッチ素子TRACのオフ期間に流れる電流に基づき前記制御部（15，19）の電源電圧を生成する手段12とを具備し、交流入力端子0，負荷接続端子1及び負荷電流検出端子3を有することを特徴とする。【選択図】  図２
2007088641.tif 000002
【特許請求の範囲】
【請求項１】
人体からの赤外線を検知する人体検知センサーと、
交流電源から負荷に直列に接続されて該負荷に電力を供給するためのスイッチ素子と、
前記人体検知センサーの出力に応じて前記スイッチ素子をオン．オフさせる制御部とを具備し、
前記制御部は前記スイッチ素子がオフ時は、前記負荷の漏れ電流に基づいて前記制御部の電源電圧を得、前記スイッチ素子がオンする時は、前記スイッチ素子のオフ期間に流れる電流に基づいて前記制御部の電源電圧を得る２線式人体検知センサー付き自動スイッチにおいて、
交流入力端子，負荷接続端子及び負荷電流検出端子を有することを特徴とする２線式人体検知センサー付き自動スイッチ。
【請求項２】
前記負荷電流検出端子に接続して電流検出部が設けられており、
前記電流検出部は、前記負荷に流れる電流を検出するものであって、前記スイッチ素子の一端に順方向に直列接続した複数のダイオードとこれらの直列接続された複数のダイオードに逆方向で、１本または複数でかつ順方向に直列接続されたダイオードとが並列接続され、更に前記のどちらかの複数の直列接続されたダイオードを流れる電流にて発生する総合された順方向電位にてオン動作する発光素子及び受光素子からなるフォトカプラが並列接続され、更にこれらの並列接続された接続点の他端が前記負荷電流検出端子に接続され、該負荷電流検出端子は前記２線式人体検知センサー付き自動スイッチと同一仕様の第２の２線式人体検知センサー付き自動スイッチの第２のスイッチ素子の他端に接続される構成となっていることを特徴とする請求項１に記載の２線式人体検知センサー付き自動スイッチ。
【請求項３】
前記電流検出部の出力を、自己の２線式人体検知センサー付き自動スイッチ内のスイッチ素子が自己の人体検知センサーの出力に基づいてオン動作中は無効化する一方、前記自己の人体検知センサーの出力に基づいて前記第２の２線式人体検知センサー付き自動スイッチ内の第２の電流検出部の出力を有効化して、前記第２の２線式人体検知センサー付き自動スイッチ内の第２のスイッチ素子をオン動作させ、前記自己の人体検知センサーの出力に基づいて、前記負荷に直列に接続された前記スイッチ素子をオンオフさせることを特徴とする請求項２に記載の２線式人体検知センサー付き自動スイッチ。
【請求項４】
前記電流検出部の出力を無効化する期間は、自己の２線式人体検知センサー付き自動スイッチが自己の人体検知センサーの出力に基づいて動作する予め決めた所定のタイマー時間に、更に前記自己の２線式人体検知センサー付き自動スイッチ内のスイッチ素子が確実にオフするだけの所定時間を加えた期間であることを特徴とする請求項３に記載の２線式人体検知センサー付き自動スイッチ。
【発明の詳細な説明】
【技術分野】
【０００１】
本発明は、人体から放射される赤外線を検出して、照明器具などの負荷をオンオフさせる２線式配線器具の人体検知センサー付き自動スイッチに関するものである。
【背景技術】
【０００２】
従来より、この種の人体検知センサー付き自動スイッチは、例えば特許文献１の図１のものが知られている。  
この特許文献１の人体検知センサー付き自動スイッチは、人体から放射される赤外線を焦電センサーで検出し、その検出信号を増幅し、更にウインドウコンパレータにて、基準値と比較して検出された信号で、タイマーＩＣを駆動して、一定時間トライアックをオンさせ、照明器具(白熱灯や蛍光灯など)を点灯させるようになっている。
【特許文献１】特開平２００４−１２５５０３号公報（図１）
【発明の開示】
【発明が解決しようとする課題】
【０００３】
ところで、上記従来の２線式人体検知センサー付き自動スイッチでは、１つの照明器具負荷に対して複数の２線式人体検知センサー付き自動スイッチを接続することが不可能であり、階段を有した家屋の階段部分で一般的に使用されている３路配線への応用が出来なかった。つまり、３路配線による人体検知センサー付き自動スイッチの構成（１階と２階にそれぞれ人体検知センサー付き自動スイッチを配して１階又は２階のいずれか一方の人体検知センサー付き自動スイッチによる人体検知に基づいて１つの照明負荷を自動的に点灯させるスイッチ構成）が実現できなかった。すなわち、１階と２階とに各々２線式人体検知センサー付き自動スイッチを設置して人が階段を登り降りする時に人体を各階で自動検知して１つの照明負荷を自動的に必要な所定の時間だけ点灯した後消灯させることができなかった。
【０００４】
本発明は上記問題を解決するために、３路配線が可能で例えば階段の１階と２階のように２箇所で人体検知可能として１つの照明負荷を所定時間、自動点灯させることができる２線式人体検知センサー付き自動スイッチを提供することを目的とするものである。
【課題を解決するための手段】
【０００５】
本発明による２線式人体検知センサー付き自動スイッチは、人体からの赤外線を検知する人体検知センサーと、交流電源から負荷に直列に接続されて該負荷に電力を供給するためのスイッチ素子と、前記人体検知センサーの出力に応じて前記スイッチ素子をオン．オフさせる制御部とを具備し、前記制御部は前記スイッチ素子がオフ時は、前記負荷の漏れ電流に基づいて前記制御部の電源電圧を得、前記スイッチ素子がオンする時は、前記スイッチ素子のオフ期間に流れる電流に基づいて前記制御部の電源電圧を得る２線式人体検知センサー付き自動スイッチにおいて、交流入力端子，負荷接続端子及び負荷電流検出端子を有することを特徴とする。
【０００６】
本発明によるこのような構成によれば、交流入力端子と負荷接続端子の間に、交流電源と負荷の直列接続したものを接続すると、２線式人体検知センサー付き自動スイッチ単体での人体検知による負荷点灯が可能となり、また、２線式人体検知センサー付き自動スイッチを２つ使用し、各２線式人体検知センサー付き自動スイッチの交流入力端子，負荷接続端子及び負荷電流検出端子の３つの端子を３路配線することにより、１つの負荷と交流電源を用いて、各自動スイッチを配置した２箇所で人体検知可能となり、どちらか一方で人体を検知すると、１つの負荷を点灯させることが可能となる。
【０００７】
本発明において、前記負荷電流検出端子に接続して電流検出部が設けられており、前記電流検出部は、前記負荷に流れる電流を検出するものであって、前記スイッチ素子の一端に順方向に直列接続した複数のダイオードとこれらの直列接続された複数のダイオードに逆方向で、１本または複数でかつ順方向に直列接続されたダイオードとが並列接続され、更に前記のどちらかの複数の直列接続されたダイオードを流れる電流にて発生する総合された順方向電位にてオン動作する発光素子及び受光素子からなるフォトカプラが並列接続され、更にこれらの並列接続された接続点の他端が前記負荷電流検出端子に接続され、該負荷電流検出端子は前記２線式人体検知センサー付き自動スイッチと同一仕様の第２の２線式人体検知センサー付き自動スイッチの第２のスイッチ素子の他端に接続される構成となっていることを特徴とする。
【０００８】
このような構成によれば、２線式人体検知センサー付き自動スイッチ単体では、種々の負荷（白熱灯照明器具だけでなく蛍光灯照明器具でもよい）を２線式でオンオフ制御できる人体検知自動スイッチが可能であり、更に負荷電流を検出する電流検出部を設けたので、２線式人体検知センサー付き自動スイッチを２つ用いて３路配線が可能であって、例えば階段の１階と２階のように２箇所で人体検知できるようにして１階又は２階のどちらか一方のセンサーで人体を検知すると、各電流検出部の負荷電流検出信号を用いて階段に配置した１つの照明負荷を自動点灯させることが可能となる。
【０００９】
本発明において、前記電流検出部の出力を、自己の２線式人体検知センサー付き自動スイッチ内のスイッチ素子が自己の人体検知センサーの出力に基づいてオン動作中は無効化する一方、前記自己の人体検知センサーの出力に基づいて前記第２の２線式人体検知センサー付き自動スイッチ内の第２の電流検出部の出力を有効化して、前記第２の２線式人体検知センサー付き自動スイッチ内の第２のスイッチ素子をオン動作させ、前記自己の人体検知センサーの出力に基づいて、前記負荷に直列に接続された前記スイッチ素子をオンオフさせることが好ましい。
【００１０】
このような構成によれば、自己の２線式人体検知センサー付き自動スイッチがその人体検知センサーの出力に基づいて動作中は、前記電流検出部の負荷電流検出信号を用いて階段に配置した１つの照明負荷を必要な所定時間点灯させた後消灯することができる。
【００１１】
本発明において、前記電流検出部の出力を無効化する期間は、自己の２線式人体検知センサー付き自動スイッチがその人体検知センサーの出力に基づいて動作する予め決めた所定のタイマー時間に、更に前記自己の２線式人体検知センサー付き自動スイッチ内のスイッチ素子が確実にオフするだけの所定時間を加えた期間であることが好ましい。
【００１２】
このような構成によれば、電流検出部が存在することによって自己の２線式人体検知センサー付き自動スイッチをオフできなくなる問題点を解消し、自己の２線式人体検知センサー付き自動スイッチを確実にオフすることが可能となる。
【発明の効果】
【００１３】
本発明によれば、３路配線が可能で例えば階段の１階と２階のように２箇所で人体検知可能として１つの照明負荷を所定時間、自動点灯させることができる２線式人体検知センサー付き自動スイッチを実現することが可能となる。しかも、２線式人体検知センサー付き自動スイッチ単体では、種々の照明負荷（白熱灯照明器具だけでなく蛍光灯照明器具でもよい）を２線式で自動点灯制御できる人体検知自動スイッチを可能にしている。
【発明を実施するための最良の形態】
【００１４】
発明の実施の形態について図面を参照して説明する。  
［第１の実施形態］
図１は本発明の第１の実施形態の２線式人体検知センサー付き自動スイッチの回路構成図を示している。  
図１に示すように、本第１の実施形態の２線式人体検知センサー付き自動スイッチ１０Ａは、人体等から放射される赤外線を検知する焦電センサーと呼ばれる人体検知センサーＰＥＤと、周囲の明るさ（照度）を検出するＣｄＳなどからなる明るさ（照度）センサーＩＬＬと、商用交流電源（１００Ｖ）ＡＣから負荷（本実施形態では白熱灯器具や蛍光灯器具のような照明負荷）Ｌへの給電路に挿入されるスイッチ素子であるトライアックTRACと、トライアックTRACと並列的に前記給電路に挿入され、人体検知センサーＰＥＤの出力に応じてオンオフされる電流検出部３０と、人体検知センサーＰＥＤの出力に基づいて人体の存否に対応するように（或いは、人体検知センサーＰＥＤの出力と明るさセンサーＩＬＬの出力の組合せに応じて）、トライアックTRACをオン・オフさせる制御手段である信号処理部１１と、トライアックTRACに並列接続された全波整流回路である全波整流ダイオードブリッジＤＢと、この全波整流ダイオードブリッジＤＢの脈流出力から安定化された直流の電源電圧を得て信号処理部１１などに供給する充電回路及びレギュレータを含む安定化電源部１２と、照明負荷Ｌのオフ時に安定化電源部１２に充電用の微小な一定電流を供給する定電流回路１３と、信号処理部１１からの制御信号に基づいて、トライアックTRACをオンさせるためのオア回路OR1及びトランジスタＱ3，Ｑ2などからなる起動回路と、人体検知センサーＰＥＤの出力を検知するセンサー回路及び明るさセンサー回路並びに点灯モード設定部、及び、これらの検知信号や設定信号に基づいてタイマー信号（点灯制御信号）を生成するマイコンを含む信号処理部１１と、を備えている。各回路部の詳細な構成については、図２で後述する。
【００１５】
定電流回路１３は、電流制限用入力抵抗Ｒ2と、ジャンクション型ＦＥＴＱ1と、該ＦＥＴＱ1のゲート・ソース間に接続されたバイアス抵抗Ｒ3で構成され、トライアックTRACのオフ時に照明負荷Ｌ及び全波整流ダイオードブリッジＤＢを通して流れる洩れ電流を定電流化して連続的に安定化電源部１２に供給する。
【００１６】
また、オア回路OR1及びトランジスタＱ3，Ｑ2などからなる起動回路は、人体検知センサーＰＥＤの出力に基づいて信号処理部１１内のマイコンで生成したタイマー信号ａの出力か、または、前記電流検出部３０の出力に基づくトライアックオン期間信号ｂの出力かの何れかの信号出力があることをオア回路OR1で検出するによって、電力スイッチ素子であるトライアックTRACをオンさせるための回路である。なお、オア回路OR1及びトランジスタＱ3，Ｑ2などからなる起動回路は、オア回路OR1の出力がハイレベルであれば、トランジスタＱ3がオンし、交流電源ＡＣから全波整流ダイオードブリッジＤＢ及び抵抗Ｒ4を通しかつ抵抗Ｒ5を通して電流が流れたときに、トランジスタＱ2のエミッタ・ベース間に生ずるバイアス電圧に基づいてトランジスタＱ2がオンし、トライアックTRACが交流電源波形のゼロクロスから立上り又は立下る短い期間（トライアックTRACオフ時）にトランジスタＱ2を通して流れる電流を電源半周期こどに安定化電源部１２に供給する機能をも備えている。
【００１７】
なお、前記起動回路においてトランジスタＱ2がオンした後は、交流電源ＡＣから電流が全波整流ダイオードブリッジＤＢの一部を通り、トランジスタＱ2を経て、安定化電源部１２，全波整流ダイオードブリッジＤＢの一部，トライアックゲート抵抗Ｒ1を経て流れ、このとき交流電源波形（正弦波形）における振幅の時間変化の過程でゲート抵抗Ｒ1での電圧降下が一定値を越えるとトライアックTRACがオンして、照明負荷Ｌに負荷電流（点灯電流）を流して照明負荷Ｌを点灯させることになる。
【００１８】
以上の構成に加えて、本実施形態1では、トライアックTRACに並列的に電流検出部３０を設けてある。電流検出部３０は、トライアックTRACの一端に順方向に直列に接続し２本以上（図では２つ）のダイオードＤ11，Ｄ12と、これらの直列接続された複数のダイオードと逆方向に１本または複数（図では１本）でかつ順方向に直列接続されたダイオードＤ13とを並列接続し、順方向に直列に接続された複数のダイオードＤ11，Ｄ12の最初のアノードと最後のカソード間に発生する総合順方向電位でオン動作する発光素子（発光ダイオード）及び受光素子（フォトトランジスタ）からなるトランジスタ出力型のフォトカプラＰＣが並列接続され、更にこれらの並列接続された接続点の他端に２線式人体検知センサー付き自動スイッチ１０Ａと同一仕様の第２の２線式人体検知センサー付き自動スイッチ１０Ｂの第２のスイッチ素子であるトライアックTRACの他端に接続される交流入力端子３を有する。なお、交流入力端子３は負荷電流検出端子として機能する。更に、フォトカプラＰＣを構成する発光ダイオードには直列に電流制限用の抵抗Ｒ32が挿入され、また前記の直列に接続された複数のダイオードＤ11，Ｄ12の両端に並列となるように、分流用の抵抗R31が並列接続されている。
【００１９】
そして、人体検知センサー付き自動スイッチ１０Ａを１つだけ用いて１カ所で人体を検知する場合は、図１の破線（交流入力端子１，０に対する照明負荷Ｌ及び交流電源ＡＣの配線）に示すように、給電路の両端、すなわちトライアックTRACの両端に設けた交流入力端子１，０間に商用交流電源ＡＣと照明負荷Ｌを直列に接続すれば、人体検知センサーＰＥＤが人体を検知することによってトライアックTRACがオンし、商用交流電源ＡＣから照明負荷Ｌに電力が供給される。なお、交流入力端子１，０のうち交流入力端子１は負荷接続端子として機能する。
【００２０】
また、既設の３路配線を用い、且つ２つの人体検知センサー付き自動スイッチ１０Ａ，１０Ｂを用いて２カ所で人体を検知する場合は、図１の実線（交流入力端子１，０，３に対する照明負荷Ｌ及び交流電源ＡＣなどの配線）に示すように、人体検知センサー付き自動スイッチ１０Ａと全く同じ仕様の人体検知センサー付き自動スイッチ１０Ｂを用意し、人体検知センサー付き自動スイッチ１０Ａ，１０Ｂそれぞれを例えば家屋の階段の１階と２階に配置し、人体検知センサー付き自動スイッチ１０Ａの交流入力端子１ともう一方の人体検知センサー付き自動スイッチ１０Ｂの交流入力端子１との間に照明負荷Ｌと商用交流電源ＡＣを直列に接続し、人体検知センサー付き自動スイッチ１０Ａの交流入力端子０をもう一方の人体検知センサー付き自動スイッチ１０Ｂの交流入力端子３へ接続し、人体検知センサー付き自動スイッチ１０Ａの交流入力端子３をもう一方の人体検知センサー付き自動スイッチ１０Ｂの交流入力端子０へ接続すれば、１階又は２階の一方の人体検知センサーＰＥＤが人体を検知することによって結果として１階及び２階のトライアックTRACが共にオンし、商用交流電源ＡＣから照明負荷Ｌに電力が供給される。なお、３路配線による２カ所での人体検知については、後に詳しく説明する。
【００２１】
ここで、照明負荷Ｌがオフの状態、即ちトライアックTRACのオフ状態では、トライアックTRAC両端の電位差と照明負荷Ｌの漏れ電流により全波整流ダイオードブリッジＤＢから定電流回路１３を通して出力される微小な脈流電流を安定化電源部１２内の充電用コンデンサに充電し且つ安定化して安定化電源電圧を得るとともに、照明負荷Ｌがオン状態、即ちトライアックTRACのオンの状態では、商用交流電源ＡＣから照明負荷Ｌに流れる負荷電流のうち、トライアックTRACのオンしない交流電圧のゼロクロス直後の短い期間に全波整流ダイオードブリッジＤＢを通して交流電源半周期ごとに流れる電流を安定化電源部１２内の充電用コンデンサに充電し且つ安定化して安定化電源電圧を得るようにしているので、２線での配線、及び３路配線による構成が可能となっている。
【００２２】
図２は図１の人体検知センサー付き自動スイッチ１０Ａの具体的な回路構成を示す回路図である。  
図２において、人体検知センサー付き自動スイッチ１０Ａは、交流入力端子０，１，３と、交流電源ＡＣにより安定化した直流電源電圧を得て、タイマー回路１９やセンサー回路１５，１８に供給するための電源回路２４と、この電源回路２４からの安定化直流電圧を電源として動作し、焦電センサーで構成される人体検知センサーＰＥＤを含み、その出力を増幅し人体からの赤外線を検知するセンサー回路１５と、センサー回路１５で人体を検知したときに、これに基づいて必要な所定時間のタイマー信号を生成してタイマー制御信号動作を行うタイマー回路１９と、周囲の明るさを検出（測定）する明るさセンサー回路１８と、人体検知センサーＰＥＤに基づいた点灯（Auto）か、人体検知センサーＰＥＤに関係なく常時点灯（ON）か常時消灯（OFF）かを設定可能な点灯モード設定部２２と、を有して構成されている。
【００２３】
電源回路２４には、交流入力端子０，１が設けられている。交流電源ＡＣ（図示せず）の一端と電源回路２４の交流入力端子１との間には照明器具などの照明負荷（図示せず）Ｌが接続しており、交流電源ＡＣの他端は、１カ所検知の場合（人体検知センサー付き自動スイッチ１０Ａのみ使用する場合）は電源回路２４の交流入力端子０に接続する。また、交流電源ＡＣの他端は、２カ所検知の場合（人体検知センサー付き自動スイッチ１０Ａ，人体検知センサー付き自動スイッチ１０Ｂを３路配線して使用する場合）はもう一方の人体検知センサー付き自動スイッチ１０Ｂの交流入力端子１に接続している。
【００２４】
交流入力端子１は全波整流ダイオードブリッジＤＢの一方の交流入力端ａに接続し、前記交流入力端子０は雑音防止コイルＬ1及びトライアックTRACのゲート抵抗Ｒ１を介して全波整流ダイオードブリッジＤＢのもう一方の交流入力端子ｂに接続している。
【００２５】
前記交流入力端子１はバリスター等のサージ吸収素子ＺＮＲとコンデンサＣ１との並列回路を介して交流入力端子０に接続している。また、前記交流入力端子１はトライアックTRACの主電極Ｔ１−Ｔ２間と雑音防止コイルＬ1を介して交流入力端子０に接続している。
【００２６】
全波整流ダイオードブリッジＤＢの正極側整流出力端子（＋）はＰＮＰトランジスタＱ2のエミッタ・コレクタを介し定電圧ダイオードＺＤ2とコンデンサＣ5の並列回路の＋極側に接続している。この定電圧ダイオードＺＤ2とコンデンサＣ5の並列回路の＋極側は後述のレギュレータ１４の電源入力端子ＩＮに接続している。定電圧ダイオードＺＤ2とコンデンサＣ5の並列回路は、レギュレータ用の直流電源電圧を生成する電圧発生手段を構成している。
【００２７】
定電圧ダイオードＺＤ2とコンデンサＣ5の並列回路の−極側は全波整流ダイオードブリッジＤＢの（−）端子に接続している。この全波整流ダイオードブリッジＤＢの（−）端子を以下、基準電位点（グランド）と呼び、符号GNDを付して表す。
【００２８】
前記のトライアックTRAC，全波整流ダイオードブリッジＤＢ，トランジスタＱ2，及びトランジスタＱ3は、前記交流電源ＡＣから照明負荷Ｌ（図示せず）への電力供給をオン・オフするための電源スイッチ回路を構成している。すなわち、電源スイッチ回路は、そのトランジスタＱ3のオンオフがタイマー回路１９からのタイマー信号を含む点灯制御信号によって制御されることで、トランジスタＱ2がオンオフされ、交流ゼロクロス直後の短期間でのバイアス抵抗Ｒ1による閾値を越えるゲート電圧の有無によってトライアックTRACがオンオフ制御され、前記交流電源ＡＣから照明負荷Ｌへの電力供給をオンオフすることができる構成となっている。
【００２９】
ＰＮＰトランジスタＱ2のエミッタ・ベース間には抵抗Ｒ4が接続され、ベースは抵抗Ｒ５を介しさらにＮＰＮトランジスタＱ３のコレクタ・エミッタを通して全波整流ダイオードブリッジＤＢの（−）端子（即ち基準電位点GND）に接続している。トランジスタＱ3のベース・エミッタ間には、抵抗Ｒ７とコンデンサＣ３の並列回路が接続している。トランジスタＱ3のベースには、タイマー回路１９のマイコン２０から送出されるタイマー信号ａ又は電流検出部３０の出力部３０-1から送出されるトライアックオン期間信号ｂがオア回路OR1から供給されるようになっている。オア回路OR1は、２つのダイオードＤａ，Ｄｂからなるダイオードオアで構成されていて、ダイオードＤａにはタイマー信号ａが入力し、ダイオードＤｂにはトライアックオン期間信号ｂが入力し、その論理和（オア）出力が点灯制御信号としてＮＰＮトランジスタＱ3のベースに供給される。
【００３０】
さらに、後述するように、交流入力端子０，１、或いは交流入力端子０，１，３に対する配線工事の完了後、交流電源ＡＣが印加されると同時にＰＮＰトランジスタＱ2がオンして一気にマイコン２０に電源が供給されることによって、本願の人体検知センサー付き自動スイッチが即座に立ち上がることを可能とするため、トランジスタＱ２のベース抵抗Ｒ5に直列にダイオードＤ1を接続し、そのカソード側にコンデンサＣ4を直列に接続し、そのコンデンサＣ4の他端部を基準電位点GNDに接続している。これによって、交流電源ＡＣが最初に印加された時に、全波整流ダイオードブリッジＤＢの＋出力端子から電流が、トランジスタＱ2のエミッタ・ベース間抵抗Ｒ4，ベース抵抗Ｒ5，ダイオードＤ1及びコンデンサＣ4を通して流れ、抵抗Ｒ4における電圧降下に基づいてトランジスタＱ2が即座にオンして、レギュレータ用の直流電源電圧を生成するＺＤ2とＣ5からなる電圧発生手段を駆動し、レギュレータ１４にて安定化電源電圧を得て、マイコン２０に電源供給し、マイコン２０を一気に立ち上げることができる起動回路を実現している。
【００３１】
一方、停電等により、交流電源ＡＣの供給が停止された場合に、再び交流電源ＡＣが復活したときに、トランジスタＱ2を強制的にオンできるようにするために、一端がトランジスタＱ5のベースに接続し他端が基準電位点GNDに接続した抵抗Ｒ10と、トランジスタＱ2のコレクタのラインとトランジスタＱ5のベース間に接続した抵抗Ｒ9と定電圧ダイオードＺＤ1の直列回路と、エミッタが基準電位点GNDに接続しコレクタが抵抗Ｒ8を介してトランジスタＱ2のコレクタに接続したトランジスタＱ5と、エミッタが基準電位点GNDに接続しベースがトランジスタＱ5のコレクタに接続しコレクタがダイオードＤ1とコンデンサＣ4の接続点に接続したトランジスタＱ4とからなる回路が設けられている。この回路は、交流電源ＡＣから電流の供給が停止され、コンデンサＣ5の電荷が放電して、その電圧が低下してその結果として定電圧ダイオードＺＤ１に流れる電流が停止されると、トランジスタＱ５がオフして、その結果トランジスタＱ4が瞬時にオンして、コンデンサＣ4の電荷を放電させるためのものである。この結果、再び交流電源ＡＣが復活したとき、上述のようにトランジスタＱ2が即座にオンすることが可能となる。
【００３２】
また、全波整流ダイオードブリッジＤＢの（＋）端子は電流制限用の入力抵抗Ｒ２を介しジャンクション型ＮチャネルＦＥＴ（電界効果トランジスタ）Ｑ１のドレインＤに接続し、ソースＳはバイアス抵抗Ｒ3を介してゲートＧに接続しかつ定電圧ダイオードＺＤ2とコンデンサＣ5の並列回路の＋極側に接続している。バイアス抵抗Ｒ3は、そこにドレイン電流ＩDが流れることによってゲートＧに対してゲート・ソース間のバイアス電圧を与えるためのものである。ＦＥＴＱ１のゲートＧはトランジスタＱ２のコレクタにも接続している。この入力抵抗Ｒ2，ジャンクション型ＦＥＴＱ１及びバイアス抵抗Ｒ3の回路は定電流回路１３を構成している。
【００３３】
この定電流回路１３の動作は、本出願人によって出願された特開平２００４−１２５５０３号公報に詳しく説明されている。従って、定電流回路１３を介し、照明負荷Ｌを通過した電圧の如何に拘わらず常に１ｍＡの電流がコンデンサＣ5（例えば４７０μＦ）を充電する。  
つまり、定電流回路１３では、負荷オフ状態〔このときＯＲ回路OR1からの点灯制御信号は無く（即ちローレベル）、トランジスタＱ3，Ｑ2がオフである〕で、ＦＥＴＱ1は回路的には非常に大きな抵抗に相当し、しかもゲート・ソース間抵抗Ｒ3の存在で照明負荷Ｌのインピーダンスに拘らず交流電源ＡＣより定電圧ダイオードＺＤ2とコンデンサＣ5による電圧発生手段に、微小ではあるが一定電流（例えば１ｍＡ）を流すことができる。
【００３４】
コンデンサＣ5の充電電圧は低損失のレギュレータ１４の入力電源電圧となる。レギュレータ１４は、電源電圧入力端子ＩＮと、電源電圧出力端子ＯＵＴと、コントロール端子Ｃと、グランド端子Ｇと、ノイズ端子Ｎを有しており、製品としては例えば東芝製のもので、出力電圧が２．７、２．８、３．０、３．３、４．５、５．０Ｖ（精度±２．５％）の６種類、入出力間電圧差が０．１３Ｖと低損失のレギュレータが販売されている。
【００３５】
交流入力端子０−１間には電力スイッチ素子であるトライアックTRACが接続されている。また、交流入力端子１−３間には電流検出部３０が接続されている。電流検出部３０の両端即ち交流入力端子１−３間には、２本のダイオードＤ11， Ｄ12が順方向に直列接続され、更にダイオードＤ13がダイオードＤ11，Ｄ12とは逆方向に並列に接続され、更に、交流入力端子１−３間には、抵抗Ｒ31が接続される一方、トランジスタ出力型のフォトカプラＰＣの一次側発光素子である発光ダイオードと抵抗Ｒ32の直列回路が並列に接続された構成となっている。フォトカプラＰＣは一次側の発光ダイオードと二次側のフォトダイオードの組合せて一対としたもので構成されている。
【００３６】
電流検出部３０の出力部３０-1は、コレクタをレギュレータ１４の出力電圧ラインに接続したトランジスタＱ6と、トランジスタＱ6のベース，コレクタにそれぞれエミッタ，コレクタを接続しベースを抵抗Ｒ11を介してレギュレータ１４の出力電圧ラインに接続したトランジスタＱ7とで構成されるダーリントン接続回路を備え、前記フォトカプラＰＣの二次側受光素子であるフォトトランジスタのコレクタ出力を抵抗Ｒ12を介して前記トランジスタＱ7のベースに入力し、トランジスタＱ6のエミッタをマイコン２０の端子stop4に接続する一方抵抗Ｒ13を介してオア回路OR1のダイオードＤｂのアノードに接続し且つマイコン２０の端子Ｐ01に接続している。
【００３７】
交流入力端子３−１間に電流（この電流は後述するがもう一方の２線式人体検知センサー付き自動スイッチ１０がオンしたときに照明負荷Ｌに流れる負荷電流である）が流れると、ダイオードＤ11及びＤ12のアノード，カソード間に順方向電圧（ダイオード１個の順方向電圧が０．６Ｖであるので約１．２Ｖ）が発生するので、抵抗Ｒ32を介してフォトカプラＰＣの一次側の発光ダイオードに電流が流れる。この結果、二次側のフォトトランジスタにコレクタ電流が流れ、その電流がトランジスタＱ6，Ｑ7のダーリントン接続された増幅回路で増幅される。この結果、交流入力端子３−１間に流れる電流が検出される。  
電流検出部３０の抵抗Ｒ32は、本願の人体検知センサー付き自動スイッチがオフ時に照明負荷Ｌを介して流れる漏れ電流による、ダイオードＤ11、Ｄ12の順方向電圧を分圧し、発光ダイオードにかかる電圧を減少させるための抵抗である。
【００３８】
上記の電源回路２４では、次のように動作する。ここでは、交流入力端子１，０間に照明負荷Ｌと交流電源ＡＣを直列に接続した場合、即ち１階と２階にそれぞれ自動スイッチを設けず（２カ所検知の両切りスイッチ構成ではなく）人体検知センサ付き自動スイッチ１０Ａを１つだけ用いて１カ所でのみ人体検知する場合の構成（図１で言うと交流電源ＡＣと負荷Ｌが点線の接続の場合）について説明する。
【００３９】
人体検知センサーＰＥＤの人体検知に基づいてマイコン２０の端子Ｐ00からハイレベル（例えば５Ｖ）のタイマー信号が出力され、オア回路OR1を経てトランジスタＱ3のベースに供給されると、トランジスタＱ3がオンし、トランジスタＱ2がオンして、図示しない交流電源ＡＣから照明負荷Ｌ，全波整流ダイオードブリッジＤＢ，抵抗Ｒ4，抵抗Ｒ5，トランジスタＱ3のコレクタ・エミッタ，全波整流ダイオードブリッジＤＢ，抵抗Ｒ1，雑音防止コイルＬ1を通して全波整流電流が流れ、トライアックTRACのゲート抵抗Ｒ1に生ずる電圧降下のレベルが一定値を越えると、トライアックTRACがオンし〔このときトライアックTRACは電源周期の１／２周期でゼロクロス直後の短い期間を除いた期間（図８に示すトライアック導通期間）にオンする〕、交流電源ＡＣから照明負荷Ｌ及びトライアックTRACを通して交流電流が流れ、照明負荷Ｌがオン（点灯）することになる。この場合（トランジスタＱ3がオンのとき）、全波整流電圧のゼロクロス直後の短期間（ゼロクロス近辺期間という）では、ゲート抵抗Ｒ1の電圧降下が一定値に達せずトライアックTRACはオンせず、そのゼロクロス近辺期間は全波整流ダイオードブリッジＤＢを通過した電圧はトランジスタＱ2を通して流れ前記コンデンサＣ5を充電するのに使用される。コンデンサＣ5の充電電圧はレギュレータ１４の入力電源電圧として電源電圧入力端子ＩＮに供給され、レギュレータ１４の出力端子ＯＵＴからは安定化電圧ＶDとなって出力される。従って、照明負荷Ｌの点灯中は、このようにして得られた安定化電圧ＶDが人体検知センサーＰＥＤのセンサー回路１５、明るさセンサー回路１８及びタイマー回路１９に直流電源電圧として供給される。
【００４０】
タイマー信号の終端としてマイコン２０の端子Ｐ00からローレベル（例えば０Ｖ）の信号が出力されると、トランジスタＱ3がオフし、トランジスタＱ2がオフして、ゲート抵抗Ｒ1での電流による電圧降下が生じないので、トライアックTRACにかかる交流電源電圧がゼロクロス付近に達するとトライアックTRACもオフし、照明負荷Ｌは消灯（オフ）する。
【００４１】
前述したように、照明負荷Ｌがオフ状態（すなわち、トランジスタＱ3，Ｑ2，トライアックTRACがいずれもオフの時）であっても、交流電源ＡＣから照明負荷Ｌ，全波整流ダイオードブリッジＤＢ及び定電流回路１３を通して電圧発生手段である定電圧ダイオードＺＤ2及びコンデンサＣ5に微小な一定電流を絶えず流して充電し、その充電電圧をレギュレータ１４に供給して低損失で安定化した電圧（例えば５Ｖ）ＶDを出力することができる。従って、照明負荷Ｌの消灯中（待機中）、このレギュレータ１４からの安定化電圧ＶDが、人体検知センサーのセンサー回路１５、明るさセンサー回路１８及びタイマー回路１９に直流電源として絶えず供給されることになる。
【００４２】
センサー回路１５は、前方に集光レンズを配した焦電センサーと呼ばれる人体検知センサーＰＥＤと、そのセンサー出力を数千倍に増幅する増幅部１６と、増幅したセンサー信号の変動をウインドウコンパレータを用いて検出する検出部１７と、を有して構成されている。
【００４３】
人体検知センサーＰＥＤは、人体から放射される熱線である赤外線を検出し、微弱な電圧として出力することができる。人体検知センサーＰＥＤは第１〜第３の３本の端子を備えており、第１の端子には前記レギュレータ１４の出力電圧ＶDを抵抗Ｒ21を介して供給し、第２の端子には基準電位点GNDのラインが接続し、第３の端子からは、赤外線を検出した時にこれに対応した微弱な検知電圧がセンサー出力として出力される。センサー出力は、抵抗Ｒ22と、抵抗Ｒ23及びコンデンサＣ21の並列回路からなる入力回路を経てオペアンプＯＰ1，コンデンサＣ23，Ｃ22，抵抗Ｒ25，Ｒ24からなる第１段増幅部で増幅され、さらに抵抗Ｒ26，コンデンサＣ24，オペアンプＯＰ2，コンデンサＣ25，抵抗Ｒ27からなる第２段増幅部で増幅されることによって数千倍に増幅される。
【００４４】
そして、増幅部１６の増幅出力は、検出部１７に入力される。検出部１７は、前記安定化電圧ＶDのラインと基準電位点GND（＝０Ｖ）のラインとの間に抵抗Ｒ28，ダイオードＤ21，Ｄ22，抵抗Ｒ29を直列接続し、抵抗Ｒ28とダイオードＤ21の接続点から第１の閾値Ｖref1を取り出し、ダイオードＤ22と抵抗Ｒ29の接続点から第２の閾値Ｖref2〔＝Ｖref1−２×Ｄ21（又はＤ22）の順方向電圧  〕を取り出し、第１，第２の閾値Ｖref1，Ｖref2をそれぞれ２つのコンパレータＯＰ3，ＯＰ4の各−入力端子，＋入力端子に比較基準電圧として入力し、コンパレータＯＰ3，ＯＰ4の各＋入力端子，−入力端子を共通に接続して、その共通入力端子に増幅部１６からの増幅出力を入力し、コンパレータＯＰ3，ＯＰ4の各出力端をそれぞれ抵抗Ｒ30，Ｒ31を介してマイコン２０の端子stop2に共通接続する一方、ダイオードＤ31を介してマイコン２０の端子Ｐ10及び点灯モード設定切換えスイッチＳＷ2のオフ端子OFFに接続する構成となっている。
【００４５】
図３はウインドウコンパレータによる検出部１７の動作を説明する図である。検出部１７の入力として、前段の増幅部１６の出力を入力している。この入力は人体を検知しない場合は電源電圧ＶDの略中間レベルの信号となるように設定してあり、該中間レベルの信号の上下にそれぞれ第１，第２の閾値Ｖref1，Ｖref2が設定されている。人体が人体検知センサーＰＥＤの受光面に略対向した位置を通過すると、人体の移動に伴い、低周波数（１Ｈｚ位）の交流信号が人体検知センサーＰＥＤで検出され、さらに増幅部１６で増幅されて、図３（ａ）に示すように前記中間レベルを中心として振動する波形となって出力され、検出部１７に入力される。検出部１７では、２つのコンパレータＯＰ3，ＯＰ4からの出力がそれぞれ第１，第２の閾値Ｖref1，Ｖref2と比較され、入力電圧が閾値Ｖref1以上、またはＶref2以下のときはコンパレータＯＰ3，ＯＰ4のいずれの一方の出力端からはハイレベル信号が出力され、抵抗Ｒ30又はＲ31の一方を通してセンサー検知信号として図３（ｂ）のようにハイレベル電圧（＝ＶD）が出力される。
【００４６】
また、検出部１7の入力電圧が第１，第２の閾値Ｖref1，Ｖref2の間（すなわちＶref1＜検出部１7の入力電圧＜Ｖref2）のときはコンパレータＯＰ3，ＯＰ4のどちらの出力端からもローレベル信号が出力され、抵抗Ｒ30又はＲ31の一方を通してセンサー検知信号として図３（ｂ）のようにローレベル電圧（＝０Ｖ）が出力される。
【００４７】
次に、明るさセンサー回路１８，タイマー回路１９及び点灯モード設定部２２について説明する。明るさセンサー回路１８とタイマー回路１９の部分は、前記検出部１７からの人体検知センサーＰＥＤの検知信号とマイコン２０を用いて周辺の明るさを検出する明るさセンサーＩＬＬの検知信号との論理をとってタイマー動作させるものである。なお、明るさ基準値切換えスイッチＳＷ1を「切」にし、点灯モード設定切換えスイッチＳＷ2を「Auto」にすれば、タイマー回路１９は人体検知センサーＰＥＤの人体検知にのみ基づいてタイマー信号を生成して出力することになる。
【００４８】
明るさセンサー回路１８は、安定化電圧ＶDラインと基準電位点GNDライン間に接続され、フォトダイオード又はフォトトランジスタを利用した周囲の明るさを検出する明るさセンサーＩＬＬとこれに直列に接続したコンデンサＣ31及び抵抗Ｒ31により明るさ検出信号を得て、マイコン２０のＡ／Ｄ変換入力端子AN0に供給する明るさ検出部と、明るさ判定を行う際の第１，第２の基準値（明，暗）と明るさ判定を行わないための基準値（切）を切り換える手動の切換えスイッチＳＷ１と、安定化電圧ＶDラインに各一端が接続され、前記切換えスイッチＳＷ１にプルアップ抵抗Ｒ33，Ｒ32を並列に配設して、抵抗Ｒ33，Ｒ32の各他端がマイコン２０の端子Ｐ02，Ｐ03に接続する基準値選択回路とを備え、切換えスイッチＳＷ１にて選択された基準値（予めプログラム上に書き込まれた設定値）と前記明るさ検出部からの明るさ検出信号とをマイコン２０にて比較し明るさ判定を行うように構成されている。
【００４９】
上記構成の明るさセンサー回路１８では、明るさセンサーＩＬＬは周囲の明るさが明るいほどその出力電流が増大し、抵抗Ｒ31と明るさセンサーＩＬＬとの接続点の電圧は上昇し、周囲の明るさが暗いほどセンサーの出力電流が減少し抵抗Ｒ31と明るさセンサーＩＬＬとの接続点の電圧は低下する。切換えスイッチＳＷ１を「切」に切り換えると、マイコン２０のどの端子にも接続されず、周辺の明るさに関係なく（すなわち明るさセンサーＩＬＬに無関係に）マイコン２０は動作する。切換えスイッチＳＷ１を「明」にした場合は、このとき前記基準値例えば１５０Ｌｘの明るさに設定されている明時設定値（第１の基準値に相当する）より周囲の明るさが暗くなるとこれをマイコン２０が認識する。同様に、切換えスイッチＳＷ１を「暗」にすると、このとき前記基準値例えば３０Ｌｘの明るさに設定されている暗時設定値（第２の基準値）より周囲の明るさが暗くなるとこれをマイコン２０が認識する。
【００５０】
以上のように、切換えスイッチＳＷ１が「切」に設定されるているか、或いは「明」又は「暗」に設定されていて周囲の明るさが明，暗の各設定値より暗くなれば、これをマイコン２０が認識し、その認識結果と、前記人体検知センサーＰＥＤによるセンサー回路１５からのセンサー検知信号（人体検知信号はハイレベルである）とに基づいて、両信号の論理をとってタイマー動作させる。
【００５１】
タイマー回路１９は、マイコン２０と、セラミック発振子のような固定振動子ＲＥＳと、リセットＩＣ２１と、タイマー時間を連続的に可変設定可能な分圧用可変抵抗器ＶＲと、を備えている。分圧用可変抵抗器ＶＲの両端はＶDラインと基準電位点GNDライン間に接続され、摺動端子はマイコン２０のＡ／Ｄ変換入力端子AN1に接続されている。マイコン２０はその分圧値を端子AN1から入力しディジタル信号に変換することによってタイマー時間の設定を行うようになっている。
【００５２】
以上のタイマー回路１９の構成では、人体検知センサーＰＥＤにて人体検知したとき、人体検知センサー検知信号はハイレベルとなってマイコン２０の端子stop2に入力され、また周囲の明るさを検出する明るさセンサーＩＬＬの出力がマイコン２０の端子AN0に入力され、また明るさ選択用切換えスイッチＳＷ１によってマイコン２０の端子Ｐ02又はＰ03が、ハイレベル、ローレベルと切り換わることで「切」，「明」，「暗」を判別する。
【００５３】
切換えスイッチＳＷ1が「明」又は「暗」に設定されていて明るさセンサーＩＬＬの出力が明時設定値又は暗時設定値を下回り、且つ、後述する点灯モード設定切換えスイッチＳＷ2が自動（Auto）に設定されていて人体検知センサーＰＥＤが人体を検知した場合には、マイコン２０からのタイマー信号により、電源回路２４のトランジスタＱ3をオンさせ、結果として、トランジスタＱ2がオン、トライアックTRACがオンして照明負荷Ｌがタイマー時間設定用可変抵抗器ＶＲで設定した時間だけ点灯することになる。
【００５４】
次に、点灯モード設定部２２は、点灯モード設定切換えスイッチＳＷ2を備えている。点灯モード設定切換えスイッチＳＷ2は、人体検知センサーＰＥＤが働いても点灯しないオフ（OFF）モード，人体検知センサーＰＥＤと明るさセンサーＩＬＬとの両検知信号のロジックに基づいて点灯する自動（Auto）モード，人体検知センサーＰＥＤの検知信号に拘わらず常時点灯（強制点灯）するオン（ON）モードの３つのモード選択端子を備え、手動で切り換えることができるようになっている。オフ（OFF）端子はマイコン２０の端子Ｐ10に接続している。自動（Auto）端子はマイコン２０のどの端子にも接続していない端子である。オン（ON）端子はマイコン２０の端子stop3に接続している。点灯モード設定切換えスイッチＳＷ2は、オンモード又はオフモードに切り換えられると、各端子Ｐ10又はstop3には基準電位点GNDレベル（ローレベル）の信号が設定される。
【００５５】
次に、３路配線時の構成について説明する。３路配線では、２つの人体検知センサー付き自動スイッチ１０Ａ，１０Ｂを使用し、既設の３路配線を用いて２カ所での人体検知が可能となる。  
まず、図４を参照して、手動スイッチによる３路配線構成の原理を説明する。  
図４において、例えば２階建ての家屋において、その階段部分に照明負荷Ｌを交流電源ＡＣと直列に接続して配設し、１階部分に３路スイッチＡを配設し、２階部分に３路スイッチＢを配設する。３路スイッチＡ，Ｂは同じ構成となっており、それぞれに交流入力端子０，１，３を備えている。そして、３路スイッチＡの交流入力端子０と３路スイッチＢの交流入力端子０間に照明負荷Ｌと交流電源ＡＣを直列接続し、３路スイッチＡの交流入力端子１と３路スイッチＢの交流入力端子１を導線にて接続し、３路スイッチＡの交流入力端子３と３路スイッチＢの交流入力端子３を導線にて接続する。
【００５６】
このような構成において、３路スイッチＡ，Ｂのスイッチ接続が現在（図示せず）のように３路スイッチＡは端子１に接続され、３路スイッチＢは端子３に接続されていたとする。人が１階から２階に上がりたい場合には、３路スイッチＡの摺動端子を端子１から端子３に切り換えると、照明負荷Ｌの両端は電気的に交流電源ＡＣに直列接続されて点灯する。人が２階に上がった後は、３路スイッチＢを端子３から端子１に切り換えることにより照明負荷Ｌの両端は電気的に交流電源ＡＣと不導通となって消灯する。
【００５７】
次に、図５を参照して、本願の人体検知センサー付き自動スイッチによる３路配線構成を説明する。なお、図５以降の人体検知センサー付き自動スイッチの説明においては、本発明の要部とは直接関係がないため、明るさセンサーＩＬＬは省略してある。
【００５８】
図５において、人体検知センサー付き自動スイッチ１０Ａは、交流入力端子０，１，３と、交流入力端子１，０間に配したトライアックTRAC-Aと、交流入力端子３，１間に流れる電流を検出する電流検出部３０Ａと、人体検知センサーPED-Aからの人体検知信号と電流検出部３０Ａからの電流検出信号に基づいてトライアックTRAC-Aをオンオフ制御する制御部２５Ａと、を備えている。同様に、人体検知センサー付き自動スイッチ１０Ｂは、交流入力端子０，１，３と、交流入力端子１，０間に配したトライアックTRAC-Bと、交流入力端子３，１間に流れる電流を検出する電流検出部３０Ｂと、人体検知センサーPED-Bからの人体検知信号と電流検出部３０Ｂからの電流検出信号に基づいてトライアックTRAC-Bをオンオフ制御する制御部２５Ｂと、を備えている。制御部２５Ａ又は２５Ｂは、図２に示した、マイコン２０を含むタイマー回路１９，電流検出部の出力部３０-1，トライアックTRACを除く電源回路２４，人体検知センサーＰＥＤを除くセンサー回路１５，明るさセンサー回路１８及び点灯モード設定部２２を含んだものに相当する。
【００５９】
人体検知センサー付き自動スイッチ１０Ａ，１０Ｂ間の配線は、人体検知センサー付き自動スイッチ１０Ａの交流入力端子１と人体検知センサー付き自動スイッチ１０Ｂの交流入力端子１間に照明負荷Ｌと交流電源ＡＣを直列に接続し、人体検知センサー付き自動スイッチ１０Ａの交流入力端子０と人体検知センサー付き自動スイッチ１０Ｂの交流入力端子３間を導線にて接続し、人体検知センサー付き自動スイッチ１０Ａの交流入力端子３と人体検知センサー付き自動スイッチ１０Ｂの交流入力端子０間を導線にて接続する。
【００６０】
次に、図５の動作、主として電流の流れを簡単に説明する。  
まず、例えば人体検知センサーPED-Aが人体を検知すると、制御部２５Ａは所定時間のタイマー信号を生成してトライアックTRACをタイマーオンさせる。これによって、交流電源ＡＣから照明負荷Ｌを通り、人体検知センサー付き自動スイッチ１０ＡのトライアックTRAC-A，人体検知センサー付き自動スイッチ１０Ｂの電流検出部３０Ｂを通して負荷電流（点灯電流）が流れる。電流検出部３０Ｂは負荷電流を検出すると、その電流が流れている期間、電流検出信号を制御部２５Ｂに送り、制御部２５Ｂはその電流検出信号の期間、人体検知センサー付き自動スイッチ１０ＢのトライアックTRAC-Bをオンにする。トライアックTRAC-Bのオンによって、交流電源ＡＣから人体検知センサー付き自動スイッチ１０ＢのトライアックTRAC-B，人体検知センサー付き自動スイッチ１０Ａの電流検出部３０Ａを通り、照明負荷Ｌに負荷電流（点灯電流）が流れる。この負荷電流は電流検出部３０Ａにて検出され、その電流検出信号が人体検知センサー付き自動スイッチ１０Ａの制御部２５Ａへ送られることで、制御部２５ＡはトライアックTRAC-Aを人体検知センサーPED-Aの検知出力と同時に電流検出信号によってオンすることになる。以上の動作では、最初の人体検知センサーPED-Aの人体検知に基づいて継続的に人体検知センサー付き自動スイッチ１０Ａ，人体検知センサー付き自動スイッチ１０ＢをのトライアックTRAC-A，TRAC-Bを同時にオンさせ続けることになる。従って、最初の人体検知センサーPED-Aの人体検知に基づいて制御部２５Ａが所定時間のタイマー動作を完了しても人体検知センサー付き自動スイッチ１０Ａの電流検出部３０Ａの電流検出信号が制御部２５Ａに供給され続け、照明負荷Ｌは永久に点灯し続けることになる。これは、人体検知センサー付き自動スイッチ１０Ｂ側の人体検知センサーPED-Ｂが人体を検知した場合も同様のことが言える。
【００６１】
すなわち、人体検知センサー付き自動スイッチ１０Ｂ側の人体検知センサーPED-Ｂが人体検知に基づいて制御部２５Ｂが所定時間のタイマー信号を生成して、まずトライアックTRAC-Bをオンし、交流電源ＡＣがトライアックTRAC-B，人体検知センサー付き自動スイッチ１０Ａの電流検出部３０Ａ，照明負荷Ｌの順に負荷電流が流れた場合に、電流検出部３０Ａの電流検出信号に基づいてトライアックTRAC-Aがオンし、交流電源ＡＣから照明負荷Ｌ，トライアックTRAC-A，人体検知センサー付き自動スイッチ１０Ｂの電流検出部３０Ｂの順に負荷電流が流れると、前述と同様に電流検出部３０Ｂの電流検出信号に基づいて制御部２５ＢがトライアックTRAC-Bをオンすることになる。従って、人体検知センサーPED-Bの人体検知に基づいて制御部２５Ｂが所定時間のタイマー動作が完了しても人体検知センサー付き自動スイッチ１０Ｂの電流検出部３０Ｂの電流検出信号が制御部２５Ｂに供給され続け、照明負荷は点灯したままとなる。この問題を解決するため、先に人体検知センサーＰＥＤに基づいて動作した方の電流検出信号を無効にする必要がある。
【００６２】
以下の図６〜図９の説明では、上記のような問題を解決して、２カ所に配置した人体検知センサーのいずれか一方で人体を検知した場合に、人体検知時点から必要な所定時間だけ照明負荷Ｌをタイマー点灯させる制御動作について説明する。併せて、人体検知センサー付き自動スイッチに必要な制御部用の安定化電源電圧を取得（生成）する動作についても説明する。
【００６３】
図６及び図７に３路接続された状態を示す。図６では、負荷オフ時（待機時）の充電用コンデンサＣ5（図２参照）への充電電流の流れを説明し、図７では、人体検知に基づく負荷オン時における負荷電流及び充電電流の流れを説明する。  
図６に示す人体検知センサー付き自動スイッチ１０Ａ，１０Ｂにおいて、自動スイッチ１０Ａの端子１は交流電源ＡＣの一方のラインに接続された照明負荷Ｌに接続され、自動スイッチ１０Ａの端子０は他方の自動スイッチ１０Ｂの端子３に接続され、自動スイッチ１０Ａの端子３は他方の自動スイッチ１０Ｂの端子０に接続されている。他方の自動スイッチ１０Ｂの端子１は交流電源ＡＣの他方のラインに接続されている。この結果、両者１０Ａ，１０Ｂの間は３本の電線で接続された状態となる。
【００６４】
図６では、負荷オフ時（待機時）の制御部２５Ａ'内のコンデンサＣ5（図２参照）及び制御部２５Ｂ'内のコンデンサＣ5'への充電電流の流れを説明している。
【００６５】
負荷オフ時は、人体検知センサーＰＥＤ-A，ＰＥＤ-Bのいずれも人体を検知せず、トライアックTRAC-A，TRAC-Bのいずれもオンしていない状態である。この時は、交流電源ＡＣの一端ｅから照明負荷Ｌを介して流れる漏れ電流は、その漏れ電流の一部（ほぼ半分）が交流入力端子１から人体検知センサー付き自動スイッチ１０Ａの全波整流ダイオードブリッジＤＢ-Aの一部を通して制御部２５Ａ'内の定電流回路１３（図２参照）で規定される微小な一定電流となって流れ制御部２５Ａ'内の充電用コンデンサＣ5を充電し、再び全波整流ダイオードブリッジＤＢ-Aの一部及びトライアックのゲート抵抗Ｒ1A並びに人体検知センサー付き自動スイッチ１０Ｂの電流検出部３０Ｂを通して交流電源ＡＣの他端ｆに流れる（この充電電流の流れは実線矢印にて示してある）一方、前記照明負荷Ｌを介して流れる漏れ電流の他の部分（ほぼ半分）が交流入力端子１から電流検出部３０Ａを通して人体検知センサー付き自動スイッチ１０Ｂのトライアックゲート抵抗Ｒ1B及び全波整流ダイオードブリッジＤＢ-Bの一部を通して制御部２５Ｂ'内の定電流回路で規定される微小な一定電流となって流れ制御部２５Ｂ'内の充電用コンデンサＣ5'を充電し、再び全波整流ダイオードブリッジＤＢ-Bの一部を通して交流電源ＡＣの他端ｆに流れる（この充電電流の流れは破線矢印にて示してある）。なお、負荷オフ時に流れる電流は微小電流（例えば１mＡ）であるため照明負荷Ｌから光出力を発生することはなく、またトライアックゲート抵抗Ｒ1A，Ｒ1Bによる電圧降下によってトライアックTRAC-A，TRAC-Bがオンすることもなく、かつ電流検出部３０Ａ，３０Ｂにおけるダイオード順方向電圧降下によってフォトカプラＰＣ-A，ＰＣ-Bがオン動作することもない。
【００６６】
尚、図６の負荷オフ時の説明では、交流電源ＡＣの一端ｅから他端ｆへ充電電流が流れる場合について説明しているが、交流電源ＡＣの一端ｆから他端ｅへ充電電流が流れる場合も、人体検知センサー付き自動スイッチ１０Ａと人体検知センサー付き自動スイッチ１０Ｂを入れ替えるだけで同様に説明することができる。
【００６７】
図７では、負荷オン時における負荷電流（点灯電流）を説明すると共に、負荷オン時における、制御部２５Ａ'内のコンデンサＣ5（図１参照）及び制御部２５Ｂ'内のコンデンサＣ5'への充電電流の流れを説明する。図８は、交流電源電圧（１００Ｖ）波形におけるトライアック不導通期間及びトライアック導通期間、並びに人体検知センサーの出力に基づくタイマー信号出力の立下りと交流電源電圧波形のゼロクロス点とのタイミング関係を示す図である。
【００６８】
図８に示すように、例えば人体検知センサーＰＥＤ-Aが人体を検知した結果として照明負荷Ｌがオンした場合に、交流電源ＡＣの１周期（５０Ｈｚの場合は２０msec、６０Ｈｚの場合は１６．７msec）におけるトライアックTRACの導通期間は１周期すべての期間ではなく、トライアックゲート抵抗での電圧降下値（即ちトライアックの電極とゲート間の電圧値）が一定値（閾値）を越えるまでの期間はトライアック不導通期間であり、ゲート抵抗での電圧降下値が一定値を越えた後交流電源電圧がゼロクロス点に近くに至るまでの期間はトライアックが導通するトライアック導通期間となる。
【００６９】
図７において、人体検知に基づく負荷オン時は、まず、人体検知センサーＰＥＤ-A，ＰＥＤ-Bのいずれか一方が人体を検知し、例えば人体検知センサーＰＥＤ-Aが人体を検知したとすると、前述したように人体検知センサーＰＥＤ-Aの出力に基づいてマイコン２０が生成したタイマー信号出力により、トランジスタＱ3がオンし、トランジスタＱ2がオンすることによってゲート抵抗Ｒ1の両端電圧が一定値（閾値）を越えるまでの期間（トライアック不導通期間）は、交流電源ＡＣの一端ｅから照明負荷Ｌを通して流れるが、交流入力端子１から人体検知センサー付き自動スイッチ１０Ａの全波整流ダイオードブリッジＤＢ-Aの一部を通して制御部２５Ａ'内のトランジスタＱ2を通って流れ（この充電電流の流れは点線矢印にて示してある）制御部２５Ａ'内の充電用コンデンサＣ5を充電し、再び全波整流ダイオードブリッジＤＢ-Aの一部及びトライアックのゲート抵抗Ｒ1A並びに人体検知センサー付き自動スイッチ１０Ｂの電流検出部３０Ｂを通して交流電源ＡＣの他端ｆに流れる。これによって人体検知がある場合におけるトライアック不導通期間では、その不導通期間（電源半周期）ごとに制御部２５Ａ'内の充電用コンデンサＣ5に充電が行われる。
【００７０】
その後、ゲート抵抗Ｒ1Aの両端電圧が一定値（閾値）を越えると、トライアックTRAC-Aがオンし、交流電源ＡＣの一端ｅから照明負荷Ｌを通して流れる負荷電流（照明負荷Ｌを点灯するに足りる点灯電流）が、実線矢印に示すようにトライアックTRAC-Aを通り、更に人体検知センサー付き自動スイッチ１０Ｂの電流検出部３０Ｂの２つ直列ダイオードを通して交流電源ＡＣの他端ｆに流れる。これによって電流検出部３０ＢのフォトカプラＰＣ-Bがオン動作して人体検知センサー付き自動スイッチ１０ＡのトライアックTRAC-Aがオン（即ち負荷がオン）したことを示す負荷電流検出信号を、制御部２５Ｂ’内のマイコン２０’に送る。制御部２５Ｂ’内のマイコン２０’はこれに基づいてトライアックTRAC-Aがオンしていることを示すハイレベルのトライアックオン期間信号ｂを生成して、制御部２５Ｂ’内のトランジスタＱ3’のベースに供給し、これによって制御部２５Ｂ’内のトランジスタＱ3’，Ｑ2’がオンすることで、交流電源ＡＣの一端ｆから入力される電源電圧に基いた交流電源周期の電流によってゲート抵抗Ｒ1Bに必要な電圧降下を生じ、その結果、人体検知センサー付き自動スイッチ１０ＢのトライアックTRAC-Bが人体検知センサー付き自動スイッチ１０ＡのトライアックTRAC-Aのオン期間と同じ期間だけオンする。
【００７１】
そして、人体検知センサー付き自動スイッチ１０ＢのトライアックTRAC-Bがオンすると、交流電源ＡＣの一端ｆから供給される電源電電流（一点鎖線にて示す）が負荷電流（点灯電流）としてトライアックTRAC-Bを通り、人体検知センサー付き自動スイッチ１０Ａの電流検出部３０Ａの２つの直列ダイオードを経て更に照明負荷Ｌを通って交流電源ＡＣの他端ｅに流れる。
【００７２】
このようにして、いずれか一方の人体検知センサー付き自動スイッチ１０Ａ又は１０Ｂがオンした時、例えば図７の人体検知センサー付き自動スイッチ１０Ａがオンした場合、トライアックTRAC-Aがオン状態となるため、交流電源ＡＣは照明負荷Ｌを介して端子１，０と流れ図示下側の端子３，１と流れる。この結果、図示下側の電流検出部３０ＢのフォトカプラＰＣ-Bが導通し、下側の制御部２５Ｂ’内のトランジスタＱ３’がオンとなりトランジスタＱ２’が導通してトライアックTRAC-Bがオンする。即ち同時に２つの人体検知センサー付き自動スイッチ１０Ａ，１０Ｂがオンすることになる。この結果、照明負荷Ｌが点灯中は、両者のトライアックTRAC-A，TRAC-Bの不導通期間に、全波整流ダイオードブリッジＤＢ出力がトランジスタＱ2，Ｑ2’を介して充電用コンデンサＣ5，Ｃ5’を充電させ、制御部２５Ａ’，２５Ｂ’の電力を供給することが可能となる。
【００７３】
ここで問題になることが生ずる。即ち、この時、図示下側のトライアックTRAC-Bがオンするので、トライアックTRAC-Bを流れる電流は、上側の電流検出部３０Ａを介して負荷Ｌに流れることになる。従って、上側のフォトカプラＰＣ-Aもオン動作して、上側の制御部２５Ａ’内のトランジスタＱ3’をオンさせる出力信号（トライアックTRAC-Aを起動させることになる信号）が発生する。
【００７４】
図８に示すように、図示上側の人体検知センサー付き自動スイッチ１０Ａが、人体検知信号でオンしたとするとマイコン２０によるタイマー信号出力が、タイムアップするタイミングは、交流電源ＡＣのゼロクロス点以外の時点であると考えるのが一般的である。従って、タイマー信号出力がオフ（ローレベルになること）しても、トライアックTRAC-Aはゼロクロスまで導通している。つまり、交流電源ＡＣの正弦波形の位相角のどの時点で消灯タイミングが発生するか即ちタイマーオフとなるかは不確定である。スイッチ素子であるトライアックTRAC-Aは、その特性上、タイマーオフとなってから、交流のほぼゼロクロス近辺までは導通する。
【００７５】
上側の人体検知センサー付き自動スイッチ１０Ａがタイムアップとなっても、トライアックTRAC-Aがオンしているため、下側の電流検出部３０Ｂには電流が流れており、その結果、下側のトライアックTRAC-Bは導通状態のため、上側の電流検出部３０Ａに電流が流れ、上側の人体検知センサー付き自動スイッチ１０Ａがオフ出来ないことになり、その結果下側の人体検知センサー付き自動スイッチ１０Ｂもオフ出来ず、永久に負荷Ｌは点灯したままとなる問題が生じる。  
このため、人体検知信号で人体検知センサー付き自動スイッチがオンした側の電流検出部の出力を無効にして、電流検出部の出力によるトランジスタＱ3のオンオフ制御を禁止する処置を採る。
【００７６】
次に、この問題を解決する回路構成及び動作を、図２を参照して説明する。  
電流検出部３０のフォトカプラＰＣが導通すると、その電流検出信号出力はトランジスタＱ7，Ｑ6のダーリントン接続回路で増幅されてトランジスタＱ6のエミッタに出力される。トランジスタＱ6のエミッタは、抵抗Ｒ13を介しマイコン２０の出力端子Ｐ01に接続される一方、抵抗Ｒ13及びダイオードＤｂを介してトランジスタＱ3のベースにも接続される。
【００７７】
今、センサー回路１５からマイコン２０の入力端子stop2に人体検知信号が入力され、マイコン２０が起動を始めた場合のみ、端子Ｐ01を所定期間、Ｌレベルに保持ことによって、電流検出部３０の出力を無効化する。ここで、前記の所定期間とは、人体検知に基づいてマイコン２０の端子Ｐ00から出力されるタイマー信号のハイレベル期間より更にΔｔだけ長い期間である。ΔｔはトライアックTRAC-Aを確実にオフするに必要な所定時間である。
【００７８】
このようにすれば、上側の人体検知センサー付き自動スイッチ１０Ａが、タイマー動作のタイムアップ後の交流電源ＡＣのゼロクロス近辺で、トライアックTRAC-Aがオフすると、下側の人体検知センサー付き自動スイッチ１０Ｂの電流検出部３０Ｂに流れる電流もオフすることから、下側の人体検知センサー付き自動スイッチ１０ＢのトライアックTRAC-Bも同時にオフすることになり、負荷Ｌへの電源供給がなくなり、消灯する。
【００７９】
逆に、下側の人体検知センサー付き自動スイッチ１０Ｂが人体検知センサーPED-Bからの人体検知信号でオンしたとき、その結果TRAC-Bがオンし、交流電源ＡＣから電流がトライアックTRAC-Bを通り、上側の人体検知センサー付き自動スイッチ１０Ａの電流検出部３０Ａの２つのダイオードを流れることによってフォトカプラＰＣ-Aが導通して、トランジスタＱ6，Ｑ7のダーリントン接続回路で増幅された出力（トランジスタＱ6のエミッタ出力）は、マイコン２０の端子Ｐ01がハイインピーダンスのまま（即ちＤbとＰ01間が断）なので、ダイオードＤｂを介し、トランジスタＱ3をオンさせるので、トランジスタＱ2がオンして、その結果トライアックTRAC-Aが導通することになる。人体検知センサー付き自動スイッチ１０ＡのトライアックTRAC-Aがオンすると、そのときの負荷電流が下側の人体検知センサー付き自動スイッチ１０Ｂの電流検出部３０Ｂに流れフォトカプラＰＣ-Bが導通して、電流検出信号として制御部２５Ｂ’に送られるが、制御部２５Ｂ’は人体検知側であるため電流検出信号を無効化してこの信号でトライアックTRAC-Bをオン動作させないように制御する。その結果、タイムアップ後の下側の人体検知センサー付き自動スイッチ１０ＢのトライアックTRAC-Bはオフし、上側の人体検知センサー付き自動スイッチ１０Ａの電流検出部３０Ａに流れる電流もオフすることから、上側の人体検知センサー付き自動スイッチ１０ＡのトライアックTRAC-Aも同時にオフすることになり、負荷Ｌへの電源供給がなくなり、消灯する。
【００８０】
上述のように、本願では、１つの負荷Ｌに対して、人体検知センサー付き自動スイッチ１０Ａ，１０Ｂが並列的に接続された状態である。このように、１つの負荷Ｌに対し、２つの人体検知センサー付き自動スイッチ１０Ａ，１０Ｂを並列的に接続する配線工事が完了して、交流電源ＡＣを投入した時、安定化電圧部の直流電源電圧がの立ち上がり時に、上下側の人体検知センサー付き自動スイッチ１０Ａ，１０Ｂのばらつきから、一方の人体検知センサー付き自動スイッチが先に立ち上がり、トライアックTRACがオンすると、もう一方の人体検知センサー付き自動スイッチの両端の電圧はほぼ０Ｖとなり、立ち上がることが出来ない。このため、先に立ち上がり動作した方のタイムアップまで他方は待機状態で、しかる後、立ち遅れた方にも電力が供給されるので、両者が正常に動作出来る状態になるまでに、単体での状態に比べ倍の時間を要することになる。この問題を解決すべく、トランジスタＱ2のベース抵抗Ｒ5に直列にダイオードＤ1を接続し、そのカソード側にコンデンサＣ4を接続して、そのコンデンサＣ4の他方を基準電位点GNDに接続する。このようにすれば、交流電源ＡＣの電源電圧が印加された時点で、トランジスタＱ2のベース電流は抵抗Ｒ4，Ｒ5，ダイオードＤ1，コンデンサＣ4を介して基準電位点へ流れるので、トランジスタＱ2は即座に導通する。コンデンサＣ4の充電により徐々にＱ2のベース電流は減少するが、マイコン２０の立ち上がりによって、トランジスタＱ3がオンして、トランジスタＱ2の導通は持続される。
【００８１】
一方、停電等により、交流電源ＡＣの供給が停止されると、充電用コンデンサＣ5の電圧が下降する。この結果、定電圧ダイオードＺＤ1に流れる電流が停止され、トランジスタＱ5がオフして、その結果トランジスタＱ4がオンして、コンデンサＣ4の電荷を放電させる。この結果、再び交流電源ＡＣの電源が復活したとき、上記のように、トランジスタＱ2が強制的に即座にオンすることが可能となる。
【００８２】
このように、交流電源ＡＣが印加されると同時にトランジスタＱ2がオンすることで、一気にマイコン２０の電源が供給されことで、本願の人体検知センサー付き自動スイッチが立ち上がることが出来ることから、３路配線された２つの人体検知センサー付き自動スイッチ１０Ａ，１０Ｂは同時に立ち上がることが可能となる。
【００８３】
図９は、負荷オン時における人体検知センサー付き自動スイッチ１０Ａ，１０Ｂの各部の動作タイミングを示すタイミングチャートを示している。図７に示したように、人体検知センサー付き自動スイッチ１０Ａの人体検知センサーPED-Aで人体を検知した場合を例に説明する。
【００８４】
図９において、（a)は照明負荷Ｌのオンオフ状態であって、負荷オンは点灯，負荷オフは消灯状態を示し、そのオン期間は(c)のトライアックTRAC-Aのオン期間と一致している。(b)は人体検知センサーPED-Aの検知出力に基づいて制御部２５Ａ’内のマイコンで生成されるタイマー信号であり、ハイレベル期間Ｗ1はタイマーオンからタイマーオフまでの所定のタイマー時間に相当している。（c)はトライアックTRAC-Aのオンオフ状態であって、そのオン期間は(b)のタイマー時間Ｗ1より時間ｔ1だけ長い期間となっている。時間差ｔ1については後述する。(d)は電流検出部３０Ａの電流検出出力であり、人体検知センサー付き自動スイッチ１０Ａの人体検知センサーPED-Aで人体を検知した場合には制御部２５Ａ’内のマイコンの制御によりその電流検出出力が無効化されている状態（強制的にローレベルＬにされている状態）を示している。電流検出部３０Ａの出力の無効化期間（点線にて示す）Ｗ2は、Ｗ2＝Ｗ1＋Δｔ、Δｔ≧ｔ1 と表すことができる。(e)は制御部２５Ａ’内のマイコンの端子Ｐ01の出力インピーダンスの高(High)，低(Low)を示しており、これは(d)の電流検出部３０Ａの出力の無効化制御方法の一例に相当し、低(Low)インピーダンス時（端子Ｐ01が基準電位点GNDに接続しているのに相当する）は無効化を実施している状態で、高(High)インピーダンス時（端子Ｐ01が開放（接続線が断）されているのに相当する）は無効化制御を解除している状態(即ち有効化状態)であり、(d)に示した無効化実施期間Ｗ2はマイコン端子Ｐ01が低(Low)インピーダンス状態とされていることを意味している。
【００８５】
（f）は人体検知センサー付き自動スイッチ１０Ｂの人体検知センサーPED-Bの検知出力に基づいて制御部２５Ｂ’内のマイコンで生成されるタイマー信号であり、このときは人体検知センサーPED-Bが人体検知していない状態にあるので、ローレベルとなっている。(g)は人体検知センサー付き自動スイッチ１０ＢのトライアックTRAC-Bのオンオフ状態であって、そのオン期間は(h)の電流検出部３０Ｂのオン期間に一致し、(c) のトライアックTRAC-Aのオン期間や、（a)の負荷Ｌのオン期間とも一致している。(h)は人体検知センサー付き自動スイッチ１０Ｂの電流検出部３０Ｂの電流検出出力であり、(c) のトライアックTRAC-Aのオン期間や、(a)の負荷Ｌのオン期間とも一致している。(i)は人体検知センサー付き自動スイッチ１０Ｂの制御部２５Ｂ’内のマイコンの端子Ｐ01の出力インピーダンスの高(High)，低(Low)を示しており、電流検出部３０Ｂの出力が有効化状態即ち高(High)インピーダンス状態とされていることを示している。
【００８６】
図９(c)において、交流電源ＡＣの正弦波形の位相角のどの時点で消灯信号が発生するか即ちタイマーオフとなるかは不確定である。タイマーオフとなってからも、スイッチ素子であるトライアックTRAC-Aは、その特性上、交流のほぼゼロクロス近辺までは導通している。即ち、タイマーオフ時点とトライアックのオフ時点間にわずかな時間差ｔ1が生じる。一方、電流検出部３０Ａの出力信号はトライアックTRAC-Aの導通期間と同期するので、もし、電流検出部３０Ａの出力信号を無効にしておかないと、タイマーオフにも関わらず、トライアックTRAC-Aがオフすることが出来ず、照明負荷Ｌの消灯が不可能となる問題を生じる。
【００８７】
人体検知センサーPED-Aを含むセンサー回路１５（図２参照）からマイコン２０の入力端子stop2に人体検知信号が入力され、マイコン２０が起動を始めた場合のみ、図９(e)に示すように端子Ｐ01を所定期間Ｗ2だけ低インピーダンスに保持することによって、電流検出部３０Ａの出力を強制的に無効化する。ここで、所定期間Ｗ2は、人体検知に基づいてマイコン２０の端子Ｐ00から出力されるタイマー信号のハイレベル期間Ｗ1より更にΔｔだけ長い期間である。ΔｔはトライアックTRAC-Aを確実にオフするのに追加された所定時間である。従って、Ｗ2（＝Ｗ1＋Δｔ）≧Ｗ1＋ｔ1 の関係となる。
【００８８】
以上述べた本発明の実施形態における動作は主として自動（Auto）モードの場合であったが、点灯モード設定切換えスイッチＳＷ2を操作し、手動でオン（ON），オフ（OFF）を行う場合であっても、図９のタイミングチャートに示す自動（Auto）モードの場合のタイマー信号の立上り，立下りが手動のオン（ON），オフ（OFF）にそれぞれ相当するので、自動（Auto）モードの場合のタイミング関係と同様のタイミングチャートとなる。
【００８９】
尚、センサー回路１５及びタイマー回路１９（図２参照）にＣＭＯＳ回路を採用することにより、消費電力を極端に抑えた省エネルギーの２線式人体検知センサー付き自動スイッチを実現することができる。
【産業上の利用可能性】
【００９０】
本発明による２線式人体検知センサー付き自動スイッチは、照明負荷Ｌを特定の器具に限定することなく、白熱灯器具は勿論のこと蛍光灯器具に対しても利用可能である。
【図面の簡単な説明】
【００９１】
【図１】本発明の第１の実施形態の２線式人体検知センサー付き自動スイッチの回路構成図。
【図２】図１の人体検知センサー付き自動スイッチの具体的な回路構成を示す回路図。
【図３】図２のセンサ回路におけるウインドウコンパレータによる検出部の動作を説明する図。
【図４】手動スイッチによる３路配線構成を示す図。
【図５】人体検知センサー付き自動スイッチによる３路配線構成を示す図。
【図６】負荷オフ時（待機時）の充電用コンデンサへの充電電流の流れを説明する図。
【図７】負荷オン時における負荷電流及び充電電流の流れを説明する図。
【図８】トライアックの不導通期間及び導通期間、ならば交流電源電圧波形に対する人体検知に基づいたタイマー信号出力のオフタイミングの一例を説明する図。
【図９】負荷オン時における２つの人体検知センサー付き自動スイッチの各部の動作タイミングを示すタイミングチャート。
【符号の説明】
【００９２】
０，１，３…交流入力端子
１０Ａ，１０Ｂ…人体検知センサー付き自動スイッチ
１２…安定化電源部
１３…定電流回路
１４…レギュレータ
１５…センサー回路
１９…タイマー回路
２０…マイコン
２２…点灯モード設定部
２５Ａ，２５Ａ’，２５Ｂ，２５Ｂ’…制御部
３０…電流検出部
３０-1…電流検出部の出力部
ＰＥＤ，ＰＥＤ−Ａ，ＰＥＤ−Ｂ…人体検知センサー
ＡＣ…交流電源
ＤＢ，ＤＢ−Ａ，ＤＢ−Ｂ…全波整流ダイオードブリッジ
ＴＲＡＣ，ＴＲＡＣ−Ａ，ＴＲＡＣ-Ｂ…トライアック
ＯＲ1…オア回路
Ｃ5…充電用コンデンサ（電圧発生手段）
ＺＤ2…定電圧ダイオード
【図１】
2007088641.tif 000003
【図２】
2007088641.tif 000004
【図３】
2007088641.tif 000005
【図４】
2007088641.tif 000006
【図５】
2007088641.tif 000007
【図６】
2007088641.tif 000008
【図７】
2007088641.tif 000009
【図８】
2007088641.tif 000010
【図９】
2007088641.tif 000011